(57)【要約】      （修正有）【課題】エコーキャンセラのキャンセリング効果を発揮するパラメータとしての調整値を、能動とされるマイクの台数に対応させて可変することで、良好なキャンセリング効果を確保する。【解決手段】複数台のマイク３及びスピーカ２にそれぞれ接続されスピーカ２からマイク３への音響結合によるエコー及びハウリングを防止するエコーキャンセラ４０に、能動とされるマイク３の台数に対応させてそのキャンセリング効果を発揮するパラメータとしての調整値を可変するレジスタ４００を備える。【選択図】図３
2014158595.tif 000002
【特許請求の範囲】
【請求項１】
医療・看護施設内の複数の部屋の病床毎に設置され被看護人が医療・看護従事者を呼出すナースコール子機と、前記ナースコール子機を用いた前記被看護人からの呼出しを報知する廊下灯と、前記ナースコール子機を用いた前記被看護人からの呼出しに前記医療・看護従事者が応答して通話を成立させるナースコール親機と、前記廊下灯及び前記ナースコール親機を制御する制御機とを有するナースコールシステムであって、
前記ナースコール親機を用いた前記医療・看護従事者の音声データを前記部屋内に出力するスピーカと、前記部屋内の音声データを集音する複数台のマイクと、前記複数台のマイク及び前記スピーカにそれぞれ接続され前記スピーカから前記マイクへの音響結合により発生するエコー及びハウリングを防止するエコーキャンセラとを備え、
前記エコーキャンセラは前記廊下灯に接続され、能動とされる前記マイクの台数に対応させて当該エコーキャンセラのキャンセリング効果を発揮するパラメータとしての調整値を可変するレジスタを備えることを特徴とするナースコールシステム。
【請求項２】
前記ナースコール子機が有する子機ＩＤに割当てられた前記マイクが有するマイクＩＤが記憶されたＩＤ記憶部と、能動とする前記マイクが有する前記マイクＩＤに割当てられた前記子機ＩＤを前記ＩＤ記憶部から選択する選択部とを備えることを特徴とする請求項１記載のナースコールシステム。
【請求項３】
前記エコーキャンセラは、前記スピーカに備えられることを特徴とする請求項１又は請求項２記載のナースコールシステム。
【発明の詳細な説明】
【技術分野】
【０００１】
本発明は、病院等の医療・看護施設内に設置されるナースコールシステムに係り、特に、部屋内に設置されるマイク及びスピーカを用いて、スタッフステーション内に設置されるナースコール親機との間で音声データを送受信して通話を成立させることができるナースコールシステムに関する。
【背景技術】
【０００２】
従来から、ナースコール子機及びナースコール親機にそれぞれ接続される制御機のデジタル信号処理部において、受信したデジタルデータに対して所定の音声信号処理、例えば、イコライザ制御、音響エコー・キャンセラ制御等の処理を実施し、ナースコール子機或いはナースコール親機へ出力することで通話を成立させることができるナースコールシステムが開示されている（例えば、特許文献１を参照）。
【０００３】
このナースコールシステムによれば、廊下灯やナースコール親機をデジタル化することなく、また処理能力を上げることなく、音声信号（、映像信号）の品質を改善することができる。
【先行技術文献】
【特許文献】
【０００４】
【特許文献１】特開２０１１−５５１０４号公報
【発明の概要】
【発明が解決しようとする課題】
【０００５】
しかしながら、特許文献１記載のナースコールシステムによれば、ナースコール子機及びナースコール親機がそれぞれ有するマイク及びスピーカを使用して通話を成立させるにあたり、所定の音声信号処理を実施するデジタル信号処理部が制御機に備えられているため、ナースコール子機及びナースコール親機の何れの機器においても、スピーカからマイクへの音響結合により発生するエコー及びハウリングを防止して良好な通話品質を確保するために必要とされる十分なキャンセリング効果を確保できなかった。
【０００６】
本発明は、この難点を解消するためになされたもので、エコーキャンセラのキャンセリング効果を発揮するパラメータとしての調整値を、部屋内で能動とされるマイクの台数に対応させて可変することで良好な通話品質の確保が可能なナースコールシステムを提供することを目的としている。
【課題を解決するための手段】
【０００７】
前述の目的を達成するため、本発明の第１の態様であるナースコールシステムは、医療・看護施設内の複数の部屋の病床毎に設置され被看護人が医療・看護従事者を呼出すナースコール子機と、部屋の出入り口に設置されナースコール子機を用いた被看護人からの呼出しを報知する廊下灯と、ナースコール子機を用いた被看護人からの呼出しに医療・看護従事者が応答して通話を成立させるナースコール親機と、廊下灯及びナースコール親機を制御する制御機とを有している。ナースコール親機を用いた医療・看護従事者の音声データを部屋内に出力するスピーカと、部屋内の音声データを集音する複数台のマイクと、複数台のマイク及びスピーカにそれぞれ接続されスピーカからマイクへの音響結合により発生するエコー及びハウリングを防止するエコーキャンセラとを備えている。エコーキャンセラは、能動とされるマイクの台数に対応させて当該エコーキャンセラのキャンセリング効果を発揮するパラメータとしての調整値を可変するレジスタを備えている。
【０００８】
この態様のナースコールシステムによれば、エコーキャンセラのキャンセリング効果を発揮するパラメータとしての調整値を、部屋内で通話機能として能動とされるマイクの台数に対応させて可変することにより、良好な通話品質の確保が可能となる。
【０００９】
また、本発明の第２の態様であるナースコールシステムは、本発明の第１の態様において、ナースコール子機が有する子機ＩＤに割当てられたマイクが有する複数のマイクＩＤが記憶されたＩＤ記憶部と、能動とするマイクが有するマイクＩＤに割当てられた子機ＩＤをＩＤ記憶部から選択する選択部とを備えている。
【００１０】
この態様のナースコールシステムによれば、部屋内で通話機能として能動とするマイクの選択が容易であり、複数台のマイクを能動とすることができる。
【００１１】
また、本発明の第３の態様であるナースコールシステムは、本発明の第１の態様又は第２の態様において、エコーキャンセラは、スピーカに備えられている。
【００１２】
この態様のナースコールシステムによれば、（キャンセリング効果を発揮する）エコーキャンセラがスピーカに一体で設けられるため、エコーキャンセラ及びスピーカ間の配線が不要とされ、配線の省線化が可能となる。
【発明の効果】
【００１３】
本発明のナースコールシステムによれば、エコーキャンセラのキャンセリング効果を発揮するパラメータとしての調整値を、部屋内で通話機能として能動とされるマイクの台数に対応させて可変することにより、良好な通話品質の確保が可能となるばかりでなく、能動とするマイクの選択が容易であり、複数台のマイクを能動とすることができる。また、エコーキャンセラをスピーカに備えることができるため、エコーキャンセラ及びスピーカ間の配線が不要とされ、配線の省線化が可能となる。
【図面の簡単な説明】
【００１４】
【図１】図１は、本発明の実施例によるナースコールシステムの全体構成を示すシステム説明図である。
【図２】図２（Ａ）は、本発明の実施例によるナースコールシステムにおいて音声処理器の具体的な構成を示すブロック図である。また、図２（Ｂ）は、同システムにおいて廊下灯の具体的な構成を示すブロック図である。さらに、図２（Ｃ）は、同システムにおいてナースコール親機の具体的な構成を示すブロック図である。
【図３】図３（Ａ）、（Ｂ）はそれぞれ、本発明の実施例によるナースコールシステムにおいて、スピーカ、マイク及び音声処理器にかかる別途の構成・接続例を示すシステム説明図、ブロック図である。
【図４】図４（Ａ）は、本発明の実施例によるナースコールシステムが待受状態においてナースコール親機の親機表示部のリスト表示例を示す画面構成図である。また、図４（Ｂ）は、同システムが待受状態においてナースコール親機の親機表示部のフロア病床レイアウト表示例を示す画面構成図である。
【図５】図５（Ａ）は、本発明の実施例によるナースコールシステムが呼出状態においてナースコール親機の親機表示部のリスト表示例を示す画面構成図である。また、図５（Ｂ）は、同システムが呼出状態においてナースコール親機の親機表示部のフロア病床レイアウト表示例を示す画面構成図である。
【発明を実施するための形態】
【００１５】
以下、本発明のナースコールシステムを適用した実施の形態例について、図面を参照して説明する。
【００１６】
図１は、本発明の実施例によるナースコールシステムの全体構成を示すシステム説明図である。このナースコールシステムは、病院等の医療・看護施設内（以下、施設内という）に設置されるものであり、ナースコール子機１、スピーカ２、（複数台の）マイク３、音声処理器４、廊下灯５、ナースコール親機６及び制御機７を有している。
【００１７】
ナースコール子機１は、予め定められた個別の子機ＩＤを有しており、施設内における例えば、２０１号室、２０２号室、・・・・のような複数の部屋（病室と同意）内の各病床の被看護人（患者と同意）が、例えば、ナースコール親機６が設置されるスタッフステーション等の施設内共用部に在室中である、医師や看護師又は看護助手等の医療・看護従事者（看護人と同意）に対し、通常呼出し、トイレ・風呂介助等の介助呼出し、点滴の終了を知らせる確認呼出し等、ナースコール呼出しに係る呼出種別毎で異なる呼出操作を行うものである。また、ナースコール子機１によれば、前述のような被看護人によるナースコール呼出しのみならず、被看護人の周囲近傍に居る医療・看護従事者が他の医療・看護従事者を呼出す、すなわち、スタッフ緊急呼出しのための呼出操作を行うこともできる。
【００１８】
ここで、ナースコール子機１は、部屋内の病床数に対応させて任意の台数を設けることができ、このナースコール子機１としては、前述のような呼出操作が行われる呼出操作機能を有する呼出握りボタン等のハンド子機１ａと、ハンド子機１ａが接続されるプレート子機１ｂとで構成されるものである。また、プレート子機１ｂには、前述のような呼出操作機能や、ナースコール呼出し又はスタッフ緊急呼出しを待受状態に復旧させる呼出復旧操作機能等を備えることもでき、このプレート子機１ｂは、子機ラインＬ1を経由して廊下灯５に接続、例えば、個別配線で接続されている。なお、プレート子機１ｂ及び廊下灯５間の接続は、図示のような個別配線の接続に限定されるものではなく、例えば、廊下灯５に対してプレート子機１ｂを順次接続する渡り配線の態様（不図示）も好適とされる。
【００１９】
スピーカ２は、予め定められた個別のスピーカＩＤを有しており、部屋内の例えば、天井に設置され、スタッフステーション等の施設内共用部に在室中である、ナースコール親機６を用いた医療・看護従事者の音声データを部屋内に出力するものである。このスピーカ２は、例えば、部屋内の病床数やその部屋の大きさに対応させて任意の台数を設けることができる。なお、本実施例によれば、部屋毎に１台ずつのスピーカ２が設けられているものとする。
【００２０】
（複数台の）マイク３は、前述の子機ＩＤに対応して予め定められた個別のマイクＩＤを有しており、部屋内の例えば、天井に設置され、当該部屋内の音声データ、例えば、被看護人の音声データを集音（入力）するものである。このマイク３は、例えば、部屋内の病床数やその部屋の大きさに対応させて任意に複数台設けることができる。なお、本実施例によれば、部屋毎に２台ずつのマイク（以下、第１、第２のマイクという）３が設けられているものとする。
【００２１】
音声処理器４は、処理器ラインＬ2を経由して廊下灯５に接続されており、図２（Ａ）のブロック図に示すように、第１、第２のマイク３及びスピーカ２にそれぞれ接続されスピーカ２から第１、第２のマイク３への音響結合により発生するエコー及びハウリングを防止するエコーキャンセラ４０と、エコーキャンセラ４０からの出力信号をデジタル／アナログ（Ｄ／Ａ）変換してスピーカ２に送出するＤ／Ａ変換回路４１と、第１、第２のマイク３にそれぞれ集音（入力）された音声データをアナログ／デジタル変換してエコーキャンセラ４０に送出するＡ／Ｄ変換回路（以下、第１、第２のＡ／Ｄ変換回路という）４２と、エコーキャンセラ４０及び処理器ラインＬ2間の信号伝送路を形成する処理器Ｉ／Ｆ４３とが備えられている。
【００２２】
ここで、音声処理器４のエコーキャンセラ４０によれば、具体的な機能として例えば、ナースコール親機６の後述する親機マイク６１ｂに集音（入力）された医療・看護従事者の送話音声であってスピーカ２から出力される音声データを入力信号として、この入力信号による、第１、第２のマイク３のうち能動とされる当該マイクへの音響結合により発生する信号（エコー信号）の信号レベルと前述の入力信号の信号レベルとの差分を算出し、その差分が最小値の「０」に近づくような例えば、フィルタリング機能を有するパラメータとしての調整値を有しており、このようなフィルタリング機能を用いることで、スピーカ２及び能動とされるマイク３間の伝達特性を推定でき、エコー及びハウリングの発生が防止されるキャンセリング効果を発揮できるものである。このようなキャンセリング効果を有するエコーキャンセラ４０としては例えば、特開２００７−１２４１６２号公報記載の第１のエコーキャンセラが開示されている。
【００２３】
また、音声処理器４のエコーキャンセラ４０には、能動とされるマイク３の台数に対応させて当該エコーキャンセラのキャンセリング効果を発揮するパラメータとしての調整値を可変するレジスタ４００が備えられている。
【００２４】
廊下灯５は、予め定められた個別の廊下灯ＩＤを有しており、各部屋の出入り口（出入り口近傍）に設置され、ナースコール子機１を用いた被看護人からのナースコール呼出し又は医療・看護従事者からのスタッフ緊急呼出しを、呼出種別毎に異なるパターンで報知（呼出表示、呼出発報）するものである。
【００２５】
ナースコール親機６は、スタッフステーション等の施設内共用部に設置されており、ナースコール子機１を用いた被看護人からのナースコール呼出し又は医療・看護従事者からのスタッフ緊急呼び出しを、呼出種別毎に異なるパターンで報知（呼出表示、呼出発報）するとともに、これを確認した医療・看護従事者が、スピーカ２及び第１、第２のマイク３のうち能動とされる当該マイクを用いた被看護人又は他の医療・看護従事者との間で音声データを送受信して通話を成立させるものである。
【００２６】
なお、ナースコール親機６の構成態様としては、図示のような電子情報出力型の当該親機に限定されず、例えば、ＰＣ（パーソナル・コンピュータ）型やボード型の当該親機（不図示）も好適とされる。また、ナースコール親機６には、通常、ナースコール子機１を個別呼出し又は一斉呼出しする機能等も備えられている。
【００２７】
制御機７は、廊下灯ラインＬ3を経由して廊下灯５、親機ラインＬ4を経由してナースコール親機６をそれぞれ接続する中継器として例えば、前述のような施設内共用部に設置されている。この制御機７には、前述の子機ＩＤに割当てられてマイクＩＤが記憶される、例えば、ＲＡＭ、ＥＥＰＲＯＭ等のＩＤ記憶部７０と、当該制御機を経由して送受信される音声データについて予め定められた信号処理を行う制御機音声処理部７１と、当該制御機の構成各部及びシステム全体を制御するばかりでなく、（部屋毎の）第１、第２のマイク３のうち能動とする当該マイクが有するマイクＩＤに割当てられた子機ＩＤをＩＤ記憶部７０から選択するための選択部として、その選択制御機能を有する制御機ＣＰＵ７２とが備えられている。また、ＩＤ記憶部７０において子機ＩＤに割当てられて記憶されるＩＤとしては、前述のようなマイクＩＤのみならず、このマイクＩＤ及びスピーカＩＤをそれぞれ関連付けて記憶させることもできる。なお、制御機７及び廊下灯５間の接続は、図示のような渡り配線の接続に限定されるものではなく、例えば、バス接続の態様（不図示）も好適とされる。
【００２８】
次に、廊下灯５の具体的な構成について図２（Ｂ）のブロック図を参照して説明する。同図に示す廊下灯５には、廊下灯表示部５０、廊下灯通話部５１、廊下灯操作部５２、廊下灯ＣＰＵ５３、子機側廊下灯Ｉ／Ｆ５４、処理器側廊下灯Ｉ／Ｆ５５及び制御機側廊下灯Ｉ／Ｆ５６が備えられている。
【００２９】
この廊下灯５において、廊下灯表示部５０は、ナースコール子機１を用いた被看護人からのナースコール呼出し又は医療・看護従事者からのスタッフ緊急呼出しがあることを表示（呼出表示）するものであって、例えば、ＬＥＤ、ＬＣＤ、有機ＥＬディスプレイ等の各種の表示媒体で構成されている。なお、廊下灯表示部５０として例えば、ＬＥＤを適用するにあたっては、そのＬＥＤを自廊下灯に接続されるナースコール子機１毎に対応、具体的には、前述の子機ＩＤに対応させて設けることができる。
【００３０】
廊下灯通話部５１は、廊下灯５の周囲近傍に居る医療・看護従事者が例えば、スタッフステーション内に在室中の医療・看護従事者との間で通話を成立させるための音声データを送受信するものであり、廊下灯マイク５１ａ及び廊下灯スピーカ５１ｂを有している。また、廊下灯スピーカ５１ｂは、前述のようなナースコール呼出しがあることを報知（呼出発報）するための呼出音や音声メッセージ等を出力することもできる。
【００３１】
廊下灯操作部５２は、ナースコール子機１を用いた被看護人からのナースコール呼出し又は医療・看護従事者からのスタッフ緊急呼出しを待受状態に復旧させるものである。また、廊下灯ＣＰＵ５３は、当該廊下灯の構成各部を制御するものである。また、子機側廊下灯Ｉ／Ｆ５４は、廊下灯ＣＰＵ５３及び子機ラインＬ1間の信号伝送路を形成するものである。また、処理器側廊下灯Ｉ／Ｆ５５は、廊下灯ＣＰＵ５３及び処理器ラインＬ2間の信号伝送路を形成するものである。さらに、制御機側廊下灯Ｉ／Ｆ５６は、廊下灯ＣＰＵ５３及び廊下灯ラインＬ3間の信号伝送路を形成するものである。
【００３２】
次に、ナースコール親機６の具体的な構成について図２（Ｃ）のブロック図を参照して説明する。同図に示すナースコール親機６には、親機表示部６０、親機通話部６１、親機操作部６２、親機ＣＰＵ６３及び親機Ｉ／Ｆ６４が備えられている。
【００３３】
このナースコール親機６において、親機表示部６０は、ナースコール子機１を用いた被看護人からのナースコール呼出し又は医療・看護従事者からのスタッフ緊急呼出しがあることを表示（呼出表示）するものであって、例えば、ＬＥＤ、ＬＣＤ、有機ＥＬディスプレイ等の各種の表示媒体で構成されている。なお、親機表示部６０として例えば、ＬＥＤを適用するにあたっては、そのＬＥＤをナースコール子機１毎に対応、具体的には、前述の子機ＩＤに対応させて設けることができる。
【００３４】
親機通話部６１は、スタッフステーション内に在室中の医療・看護従事者がスピーカ２及び第１、第２のマイク３のうち能動とされた当該マイクを用いた被看護人又は他の医療・看護従事者との間で通話を成立させるための音声データを送受信するものであり、例えば、親機マイク６１ａ及び親機スピーカ６１ｂを有している。また、親機スピーカ６１ｂは、前述のようなナースコール呼出し又はスタッフ緊急呼出しがあることを報知（呼出発報）するための呼出音や音声メッセージ等を出力することもできる。
【００３５】
親機操作部６２は、前述のような被看護人からのナースコール呼出し又は他の医療・看護従事者からのスタッフ緊急呼出しにスタッフステーション内に在室中の医療・看護従事者が医療・看護従事者が応答する操作（応答操作）を行うものであり、例えば、親機表示部６０の前面に配置されたタッチパネルや所定の操作ボタン（不図示）で構成されている。また、親機操作部６２には、（部屋毎の）第１、第２のマイク３のうち能動とする当該マイクが有するマイクＩＤに割当てられた子機ＩＤを制御機７のＩＤ記憶部７０から選択するための選択部として、その選択操作機能が備えられている。
【００３６】
親機ＣＰＵ６３は、当該ナースコール親機の構成各部を制御するものである。また、親機Ｉ／Ｆ６４は、親機ＣＰＵ６３及び親機ラインＬ4間の信号伝送路を形成するものである。
【００３７】
このように構成された本発明の実施例によるナースコールシステムにおいて、以下、具体的な動作について説明する。
【００３８】
図１に示す２０１号室、２０２号室、・・・のような複数の部屋内の各病床に居る被看護人のうち、例えば、図４（Ａ）、（Ｂ）の画面構成図に示すように、ナースコール親機６の親機表示部６０にリスト表示又はフロア病床レイアウト表示されている特定の被看護人、ここでは、２０１号室内の氏名（氏名データ）が「水野由香」であって被看護人識別ＩＤ「０００１」を有する被看護人が、スタッフステーション等の施設内共用部に在室中の医療・看護従事者を呼出すために、自病床に設置されたナースコール子機１を構成するハンド子機１ａを用いて例えば、ナースコール呼出しのための操作を行うと、このハンド子機１ａが接続されたプレート子機１ｂは、当該操作を検出し、自子機が有する子機ＩＤ「１」及びナースコール呼出しを示す呼出種別情報を付加したナースコール呼出信号を生成する。このプレート子機１ｂで生成されたナースコール呼出信号は、子機ラインＬ1を経由して、図２（Ｂ）に示す、２０１号室の出入り口に設置された廊下灯５の子機側廊下灯Ｉ／Ｆ５４を経由して廊下灯ＣＰＵ５３に伝送される。
【００３９】
２０１号室の出入り口に設置された廊下灯５において、廊下灯ＣＰＵ５３は、受信したナースコール呼出信号に付加されている子機ＩＤ「１」及び呼出種別情報をもとに、２０１号室内で子機ＩＤ「１」を有するナースコール子機１が病床に設置されている被看護人からのナースコール呼出しがあることを検出し、その旨の呼出報知として例えば、呼出表示について廊下灯表示部５０を用いて行うとともに、呼出音や音声メッセージ等を廊下灯通話部５１の廊下灯スピーカ５１ｂから出力させることができる。また、この廊下灯ＣＰＵ５３は、受信したナースコール呼出信号に自廊下灯が有する廊下灯ＩＤ「２０１」を付加した後、制御機側廊下灯Ｉ／Ｆ５６、廊下灯ラインＬ3を経由して制御機７に送出する。
【００４０】
制御機７において、制御機ＣＰＵ７２は、受信したナースコール呼出信号に付加されている子機ＩＤ「１」、廊下灯ＩＤ「２０１」及び呼出種別情報をもとに、２０１号室内で子機ＩＤ「１」を有するナースコール子機１が病床に設置されている被看護人からのナースコール呼出しがあることを検出する。また、制御機ＣＰＵ７２は、ナースコール親機６でナースコール呼出しを報知（呼出表示、呼出発報）させる当該信号として、前述の子機ＩＤ「１」、廊下灯ＩＤ「２０１」及び呼出種別情報を付加した親機呼出報知信号を生成する。この親機呼出報知信号は、制御機ＣＰＵ７２から親機ラインＬ4、図２（Ｃ）に示すナースコール親機６の親機Ｉ／Ｆ６４を経由して親機ＣＰＵ６３に伝送される。
【００４１】
ナースコール親機６の親機ＣＰＵ６３は、受信した親機呼出報知信号に付加されている子機ＩＤ「１」、廊下灯ＩＤ「２０１」及び呼出種別情報をもとに、２０１号室内で子機ＩＤ「１」を有するナースコール子機１が病床に設置されている被看護人からのナースコール呼出しがある旨の呼出音や音声メッセージ等を、親機通話部６１の親機スピーカ６１ｂから出力させるとともに、同様なナースコール呼出しがある旨の呼出表示として親機表示部６０を制御し、図５（Ａ）、（Ｂ）の画面構成図に示すような呼出元である被看護人のリスト及びフロア病床レイアウトのうち少なくとも１つを用いて呼出表示を行うことができる。なお、親機表示部６０を用いた被看護人のリスト又はフロア病床レイアウトとしては、診療科目、担当医等の被看護人にかかる各種の関連情報（被看護人関連情報）を併せて表示させることができる。また、同様なリスト及びフロア病床レイアウトは、例えば、親機操作部６２を用いて切換操作を行うことにより、親機表示部６０への表示内容を切換えることができる。
【００４２】
次に、前述のようなナースコール呼出しに係る所定の報知（呼出表示、呼出発報）を確認したスタッフステーション等の施設内共用部に在室中の医療・看護従事者が、図１、図２（Ｃ）に示すナースコール親機６の親機操作部６２を用いて応答操作を行うと、この操作を検出した親機ＣＰＵ６３は、親機通話部６１を制御して医療・看護従事者により用いられる親機マイク６１ａ及び親機スピーカ６１ｂと、当該親機ＣＰＵ、親機Ｉ／Ｆ６４を経由して親機ラインＬ4との間の信号伝送路を形成する。また、親機ＣＰＵ６３は、２０１号室内に設置された第１、第２のマイク３のうち呼出元として検出した子機ＩＤ「１」に予め割当てられているマイク３と、そのマイク３とともに音声処理器４のエコーキャンセラ４０に接続されているスピーカ２を指定するための通話機能制御信号を生成する。この通話機能制御信号には、前述の子機ＩＤ「１」及び廊下灯ＩＤ「２０１」が付加されており、親機ＣＰＵ６３から親機Ｉ／Ｆ６４、親機ラインＬ4を経由して制御機７に伝送される。
【００４３】
制御機７において、制御機ＣＰＵ７２は、通話機能制御信号を受信すると制御機音声処理部７１を能動とするとともに、受信した通話機能制御信号に付加されている子機ＩＤ「１」及び廊下灯「２０１」のうち子機ＩＤ「１」に割当てられたマイクＩＤ、ここでは、第１の選択動作として、２０１号室内に設置された第１、第２のマイク３のうち何れか１台又は２台のマイク３が有する例えば、１台のマイクＩＤ「Ｍ１」をＩＤ記憶部７０から読出し、このマイクＩＤ「Ｍ１」及び前述の廊下灯ＩＤ「２０１」を付加した送話機能指定信号（以下、第１の送話機能指定信号という）を生成する。この第１の送話機能指定信号は、制御機ＣＰＵ７２から廊下灯ラインＬ4、図２（Ｂ）に示す全ての廊下灯５の制御機側廊下灯Ｉ／Ｆ５６を経由して廊下灯ＣＰＵ５３にそれぞれ伝送される。
【００４４】
全ての廊下灯５において、廊下灯ＣＰＵ５３は、受信した第１の送話機能指定信号に付加されている廊下灯ＩＤ「２０１」と自廊下灯ＩＤとを比較する。ここでは、当該廊下灯ＩＤが「２０１」で一致する２０１号室の出入り口に設置された廊下灯５の廊下灯ＣＰＵ５３のみ、同様に付加されているマイクＩＤ「Ｍ１」に該当する第１のマイク３の音声入力機能と、この第１のマイク３とともに音声処理器４のエコーキャンセラ４０に接続されているスピーカ２の音声出力機能とをそれぞれ能動とし、さらには、処理器ラインＬ2に接続された処理器側廊下灯Ｉ／Ｆ５５と廊下灯ラインＬ3に接続された制御機側廊下灯Ｉ／Ｆ５６との間の信号伝送路を形成する。
【００４５】
また、２０１号室内の出入り口に設置された廊下灯５の廊下灯ＣＰＵ５３は、能動とされる当該マイクの台数である「１台」に対応して予め定められている調整値となるように音声処理器４のエコーキャンセラ４０が有するレジスタ４００を制御するためのレジスタ制御信号（以下、第１のレジスタ制御信号という）を生成する。この第１のレジスタ制御信号は、廊下灯ＣＰＵ５３から処理器側廊下灯Ｉ／Ｆ５５、処理器ラインＬ2、図２（Ａ）に示す、２０１号室内に設置された音声処理器４の廊下灯側処理器Ｉ／Ｆ４３を経由してエコーキャンセラ４０に伝送される。
【００４６】
２０１号室内に設置された音声処理器４のエコーキャンセラ４０は、第１のレジスタ制御信号を受信すると、このエコーキャンセラ４０からＤ／Ａ変換回路４１を経由してスピーカ２までの信号伝送路と、第１のマイク３から第１のＡ／Ｄ変換回路４２を経由して自エコーキャンセラまでの信号伝送路とをそれぞれ形成するとともに、自エコーキャンセラと処理器Ｉ／Ｆ４３を経由して処理器ラインＬ2との間の信号伝送路を形成し、このエコーキャンセラ４のレジスタ４００は、能動とされる当該マイクの台数である「１台」に対応して予め定められている調整値となるように制御される。具体的には、能動とされる当該マイクが「１台」であって、スピーカ２から第１のマイク３へのエコー成分についてキャンセリング効果を発揮する調整値に可変される。
【００４７】
前述までの制御により、スタッフステーション内に在室中の医療・看護従事者が用いる図１、図２（Ｃ）に示すナースコール親機６の親機通話部６１を構成する親機マイク６１ａから親機ＣＰＵ６３、親機Ｉ／Ｆ６４、親機ラインＬ4、制御機７の制御機音声処理部７１、廊下灯ラインＬ3、図２（Ｂ）に示す２０１号室の出入り口に設置された廊下灯５の制御機側廊下灯Ｉ／Ｆ５６、廊下灯ＣＰＵ５３、処理器側廊下灯Ｉ／Ｆ５５、処理器ラインＬ2、図２（Ａ）に示す音声処理器４の処理器Ｉ／Ｆ４３、エコーキャンセラ４０、Ｄ／Ａ変換回路４１を経由してスピーカ２までの信号伝送路（以下、下り通話ラインという）と、呼出元の被看護人が用いる第１のマイク３から音声処理器４の第１のＡ／Ｄ変換回路４２、エコーキャンセラ４０、処理器Ｉ／Ｆ４３、処理器ラインＬ2、廊下灯５の処理器側廊下灯Ｉ／Ｆ５５、廊下灯ＣＰＵ５３、制御機側廊下灯Ｉ／Ｆ５６、廊下灯ラインＬ3、制御機７の制御機音声処理部７１、親機ラインＬ4、ナースコール親機６の親機Ｉ／Ｆ６４、親機ＣＰＵ６３を経由して医療・看護従事者が用いるナースコール親機６の親機通話部６１を構成する親機スピーカ６１ｂまでの信号伝送路（以下、第１の上り通話ラインという）と、がそれぞれ形成される。
【００４８】
ここで、スタッフステーション内に在室中の医療・看護従事者による音声データが、前述の下り通話ラインを経由して図２（Ａ）に示す音声処理器４のエコーキャンセラ４０に入力信号として入力されるにあたり、エコーキャンセラ４０のレジスタ４００は、この入力信号による第１のマイク３への音響結合により発生する信号（エコー信号）の信号レベルと前述の入力信号の信号レベルとの差分を算出し、その差分が最小値の「０」に近づくようなパラメータとしての調整値を、能動されたマイクの台数である「１台」に対応して可変するため、スピーカ２及び第１のマイク３間の伝達特性を推定することで、エコー及びハウリングの発生が防止されるキャンセリング効果を発揮できる。この効果により、第１の上り通話ラインを経由して第１のマイク３からナースコール親機６の親機通話部６１を構成する親機スピーカ６１ｂに伝送されてくる被看護人による音声データは、エコーキャンセラ４０で発揮されたキャンセリング効果に起因したエコー及びハウリングの影響がない良好な通話品質が確保されることになる。
【００４９】
次に、前述までの動作によれば、図２（Ｃ）に示すナースコール親機６の親機ＣＰＵ６３からの通話機能制御信号を受信した図１に示す制御機７の制御機ＣＰＵ７２の制御として、制御機音声処理部７１を能動とするのみならず、第１の選択動作として、２０１号室内に設置された第１、第２のマイク３のうち何れか１台のマイク３が有する例えば、マイクＩＤ「Ｍ１」をＩＤ記憶部７０から読出し、このマイクＩＤ「Ｍ１」及び前述の廊下灯ＩＤ「２０１」を付加した第１の送話機能指定信号を生成したが、能動とするマイクの台数は「１台」に限定されるものではない。
【００５０】
例えば、制御機７の制御機ＣＰＵ７２は、ナースコール親機６の親機ＣＰＵ６３からの通話機能制御信号を受信したときの別途の制御動作として、制御機音声処理部７１を能動とするのみならず、第２の選択動作として、２０１号室内に設置されている２台のマイク、すなわち、第１、第２のマイク３がそれぞれ有する例えば、マイクＩＤ「Ｍ１」、「Ｍ２」をＩＤ記憶部７０から読出し、このマイクＩＤ「Ｍ１」、「Ｍ２」及び前述の廊下灯ＩＤ「２０１」を付加した送話機能指定信号（以下、第２の送話機能指定信号という）を生成することができる。この第２の送話機能指定信号は、前述の第１の送話機能指定信号と同様な信号伝送路を経由して図２（Ｂ）に示す全ての廊下灯５の廊下灯ＣＰＵ５３にそれぞれ伝送される。
【００５１】
全ての廊下灯５において、廊下灯ＣＰＵ５３は、受信した第２の送話機能指定信号に付加されている廊下灯ＩＤ「２０１」と自廊下灯ＩＤとを比較する。ここでは、当該廊下灯ＩＤが「２０１」で一致する２０１号室の出入り口に設置された廊下灯５の廊下灯ＣＰＵ５３のみ、同様に付加されているマイクＩＤ「Ｍ１」、「Ｍ２」にそれぞれ該当する第１、第２のマイク３の音声入力機能と、この第１、第２のマイク３とともに音声処理器４のエコーキャンセラ４０に接続されているスピーカ２の音声出力機能とをそれぞれ能動とし、さらには、処理器ラインＬ2に接続された処理器側廊下灯Ｉ／Ｆ５５と廊下灯ラインＬ3に接続された制御機側廊下灯Ｉ／Ｆ５６との間の信号伝送路を形成する。
【００５２】
また、２０１号室の出入り口に設置された廊下灯５の廊下灯ＣＰＵ５３は、能動とされる当該マイクの台数である「２台」に対応して予め定められている調整値となるようにエコーキャンセラ４０が有するレジスタ４００を制御するレジスタ制御信号（以下、第２のレジスタ制御信号という）を生成する。この第２のレジスタ制御信号は、前述の第１のレジスタ制御信号と同様な信号伝送路を経由して図２（Ａ）に示す音声処理器４のエコーキャンセラ４０に伝送される。
【００５３】
２０１号室内に設置された音声処理器４のエコーキャンセラ４０は、第２のレジスタ制御信号を受信すると、このエコーキャンセラ４０からＤ／Ａ変換回路４１を経由してスピーカ２までの信号伝送路と、第１のマイク３から第１のＡ／Ｄ変換回路４２を経由して自エコーキャンセラまでの信号伝送路及び第２のマイク３から第２のＡ／Ｄ変換回路４２を経由して自エコーキャンセラまでの信号伝送路とをそれぞれ形成するとともに、自エコーキャンセラと処理器Ｉ／Ｆ４３を経由して処理器ラインＬ2との間の信号伝送路を形成し、このエコーキャンセラ４のレジスタ４００は、能動とされる当該マイクの台数である「２台」に対応して予め定められている調整値となるように制御される。具体的には、前述のような第１の選択動作時に能動とされる当該マイクの台数である「１台」の場合の、スピーカ２から第１のマイク３へのエコー成分と比較して、スピーカ２から第１、第２のマイク３へそれぞれのエコー成分があるため、エコキャンセラ４０への出力であるエコー成分が増大するため、そのキャンセリング効果を発揮する調整値を大きな値に可変される。
【００５４】
前述までの制御により、スタッフステーション内に在室中の医療・看護従事者が用いる図１、図２（Ｃ）に示すナースコール親機６の親機通話部６１を構成する親機マイク６１ａから親機ＣＰＵ６３、親機Ｉ／Ｆ６４、親機ラインＬ4、制御機７の制御機音声処理部７１、廊下灯ラインＬ3、図２（Ｂ）に示す２０１号室の出入り口に設置された廊下灯５の制御機側廊下灯Ｉ／Ｆ５６、廊下灯ＣＰＵ５３、処理器側廊下灯Ｉ／Ｆ５５、処理器ラインＬ2、図２（Ａ）に示す音声処理器４の処理器Ｉ／Ｆ４３、エコーキャンセラ４０、Ｄ／Ａ変換回路４１を経由してスピーカ２までの信号伝送路（下り通話ラインという）と、呼出元の被看護人が用いる第１、第２のマイク３から音声処理器４の第１、第２のＡ／Ｄ変換回路４２、エコーキャンセラ４０、処理器Ｉ／Ｆ４３、処理器ラインＬ2、廊下灯５の処理器側廊下灯Ｉ／Ｆ５５、廊下灯ＣＰＵ５３、制御機側廊下灯Ｉ／Ｆ５６、廊下灯ラインＬ3、制御機７の制御機音声処理部７１、親機ラインＬ4、ナースコール親機６の親機Ｉ／Ｆ６４、親機ＣＰＵ６３を経由して医療・看護従事者が用いるナースコール親機６の親機通話部６１を構成する親機スピーカ６１ｂまでの信号伝送路（以下、第２の上り通話ラインという）と、がそれぞれ形成される。
【００５５】
ここで、スタッフステーション内に在室中の医療・看護従事者による音声データが、前述の下り通話ラインを経由して図２（Ａ）に示す音声処理器４のエコーキャンセラ４０に入力信号として入力されるにあたり、エコーキャンセラ４０のレジスタ４００は、この入力信号による第１、第２のマイク３への音響結合により発生する信号（エコー信号）の信号レベルと前述の入力信号の信号レベルとの差分を算出し、その差分が最小値の「０」に近づくようなパラメータとしての調整値を、能動されたマイクの台数である「２台」に対応して可変するため、スピーカ２及び第１、第２のマイク３間のそれぞれの伝達特性を推定することで、エコー及びハウリングの発生が防止されるキャンセリング効果を発揮できる。この効果により、第２の上り通話ラインを経由して第１、第２のマイク３からナースコール親機６の親機通話部６１を構成する親機スピーカ６１ｂに伝送されてくる被看護人による音声データは、エコーキャンセラ４０で発揮されたキャンセリング効果に起因したエコー及びハウリングの影響がない良好な通話品質が確保されることになる。
【００５６】
なお、第１、第２のマイク３にそれぞれ集音（入力）された音声データは、前述の第２の上り通話ラインを伝送されるにあたり、制御機７の制御機音声処理部７１で合成処理されるため、ナースコール親機６の親機通話部６１を構成する親機スピーカ６１ｂからの出力についても、合成処理された音声データが出力されることになる。
【００５７】
本発明のナースコールシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００５８】
具体的に本発明の実施例においては、図１、図２（Ａ）に示すように、エコーキャンセラ４０を有する音声処理器４とスピーカ２とを別途に設けて接続し、エコーキャンセラ４０に第１、第２のマイク３を接続させた構成を適用したが、この態様に限定されるものではない。例えば、他の構成・接続例として、図３（Ａ）のシステム構成図及び図３（Ｂ）のブロック図に示すように、エコーキャンセラ４０を有する音声処理器４をスピーカ２に備え、このエコーキャンセラ４０に第１、第２のマイク３を接続させた構成を適用することもできる。したがって、エコーキャンセラ４０がスピーカ２と一体で設けられるため、エコーキャンセラ４０及びスピーカ２間の配線が不要とされ、配線の省線化が可能となる。
【００５９】
また、本発明の実施例においては、ナースコール親機６を用いた医療・看護従事者の音声データを部屋内に出力するスピーカ２として、部屋毎に１台ずつスピーカ２を適用したが、この台数に限定されるものではない。例えば、部屋の大きさや病床数に対応させて任意に複数台設けることができ、これに対応して、マイク３についても任意に複数台設け、それぞれのスピーカ２に接続することができる。なお、複数台のスピーカ２を適用するにあたっては、各スピーカ２が接続される複数台のエコーキャンセラ４０のうち任意の当該エコーキャンセリングが有するキャンセリング効果を発揮させればよい。
【００６０】
また、本発明の実施例においては、被看護人による通話手段として部屋内のスピーカ２及びマイク３を適用したが、この通話手段にのみ限定されるものではない。例えば、ナースコール子機１を構成するプレート子機１ｂに例えば、子機通話手段としてのマイク及びスピーカ（不図示）を備えることで、何れの通話手段を同時に使用することもできる。
【００６１】
また、本発明の実施例においては、前述のようなＩＤ記憶部７０を制御機７に備えるばかりでなく、能動とするマイク３が有するマイクＩＤに割り当てられた子機ＩＤをＩＤ記憶部７０から選択するための選択機能としての選択部をナースコール親機６の親機操作部６２に備えたが、この態様に限定されるものではない。例えば、ＩＤ記憶部７０については、ナースコール親機６や、制御機７に接続されるオーダリング等のサーバ（不図示）に備えることができ、選択部については、制御機７やサーバ（不図示）に備えることができる。
【００６２】
また、本発明の実施例においては、ナースコール子機１を用いた被看護人からの呼出し（ナースコール呼出し）に医療・看護従事者が応答して通話を成立させる機器としてナースコール親機６を適用したが、このナースコール親機６に限定されるものではない。例えば、施設内を巡回中の医療・看護従事者により携帯される例えば、ＰＨＳ、スマートフォン等の情報端末も適用し、この情報端末を制御機７により制御させることもできる。
【００６３】
さらに、本発明の実施例においては、廊下灯５及びナースコール親機６を、個別のライン（廊下灯ライン、親機ライン）Ｌ3、Ｌ4をそれぞれ経由して制御機７に接続させた構成を適用したが、この態様に限定されるものではない。例えば、廊下灯５、ナースコール親機６及び制御機７をそれぞれ、共通バスであるＬＡＮ配線に所定の信号分岐機能、例えば、ハブを経由して接続させた構成を適用することもできる。
【符号の説明】
【００６４】
１……ナースコール子機
２……スピーカ
３……（複数台の）マイク
５……廊下灯
６……ナースコール親機
６２……親機操作部（選択部）
７……制御機
７０……ＩＤ記憶部
７２……制御機ＣＰＵ（選択部）
４０……エコーキャンセラ
４００……レジスタ
【図１】
2014158595.tif 000003
【図２】
2014158595.tif 000004
【図３】
2014158595.tif 000005
【図４】
2014158595.tif 000006
【図５】
2014158595.tif 000007